(57)【要約】【課題】ノズルの清浄性を向上し得る局部洗浄装置及びこれを備えた便器装置を提供する。【解決手段】局部洗浄装置１０は、局部に向けて洗浄水を供給するノズル１３と、該ノズルを洗浄するブラシ１７と、このブラシと前記ノズルとが平面視して互いに重なり合わないように位置された状態で、前記ブラシに向けてブラシ洗浄液を供給するブラシ洗浄液供給部２０と、を備えている。【選択図】図１
2016156185.tif 000002
【特許請求の範囲】
【請求項１】
局部に向けて洗浄水を供給するノズルと、該ノズルを洗浄するブラシと、このブラシと前記ノズルとが平面視して互いに重なり合わないように位置された状態で、前記ブラシに向けてブラシ洗浄液を供給するブラシ洗浄液供給部と、を備えていることを特徴とする局部洗浄装置。
【請求項２】
請求項１において、
前記ブラシは、収納位置と洗浄位置とを進退自在とされた前記ノズルに収納位置において平面視して重なり合わない位置となるように該ノズルの進出方向先側に配されていることを特徴とする局部洗浄装置。
【請求項３】
請求項１または２において、
前記ブラシ洗浄液供給部は、前記ブラシ洗浄液を加熱するヒーター、前記ブラシ洗浄液に殺菌成分を含ませる殺菌成分供給部、及び前記ブラシ洗浄液に洗剤を含ませる洗剤供給部のうちの少なくとも一つを備えていることを特徴とする局部洗浄装置。
【請求項４】
請求項１乃至３のいずれか１項において、
前記ブラシに当接され相対的に変位して該ブラシに付着した汚物を除去する除去片部を備えていることを特徴とする局部洗浄装置。
【請求項５】
請求項４において、
前記除去片部は、収納位置と洗浄位置とを進退自在とされた前記ノズルの進出方向先側に設けられた開口を開閉するノズル蓋の裏面に設けられており、
前記ブラシは、前記ノズル蓋が閉鎖されて前記除去片部に当接した状態で、回転駆動されることを特徴とする局部洗浄装置。
【請求項６】
請求項１乃至５のいずれか１項に記載の局部洗浄装置を備えた便器装置。
【発明の詳細な説明】
【技術分野】
【０００１】
本発明は、局部洗浄装置及びこれを備えた便器装置に関する。
【背景技術】
【０００２】
従来より、使用者の局部に向けて洗浄水を供給する洗浄ノズルを設けた局部洗浄装置が知られている。このような局部洗浄装置においては、局部を洗浄して跳ね返った洗浄水や汚物等がノズルに付着するという問題があった。
例えば、下記特許文献１には、温水を噴出する噴出口を設けたノズルの外周面に向けてノズル洗浄水を吐出するノズル洗浄水供給装置を設けた温水洗浄装置が開示されている。また、この温水洗浄装置は、ノズルを洗浄するブラシをノズルの上側に設けた構成とされている。
【先行技術文献】
【特許文献】
【０００３】
【特許文献１】特開２００７−２４７２８１号公報
【発明の概要】
【発明が解決しようとする課題】
【０００４】
しかしながら、上記特許文献１に記載された温水洗浄装置では、ノズルをブラシによって洗浄する毎に徐々にブラシにも汚れが付着し、その汚れがノズルに再付着するようなことが考えられ、更なる改善が望まれる。
【０００５】
本発明は、上記実情に鑑みてなされたものであり、ノズルの清浄性を向上し得る局部洗浄装置及びこれを備えた便器装置を提供することを目的としている。
【課題を解決するための手段】
【０００６】
前記目的を達成するために、本発明に係る局部洗浄装置は、局部に向けて洗浄水を供給するノズルと、該ノズルを洗浄するブラシと、このブラシと前記ノズルとが平面視して互いに重なり合わないように位置された状態で、前記ブラシに向けてブラシ洗浄液を供給するブラシ洗浄液供給部と、を備えていることを特徴とする。
【０００７】
また、前記目的を達成するために、本発明に係る便器装置は、本発明に係る局部洗浄装置を備えたことを特徴とする。
【発明の効果】
【０００８】
本発明に係る局部洗浄装置及びこれを備えた便器装置は、上述のような構成としたことで、ノズルの清浄性を向上させることができる。
【図面の簡単な説明】
【０００９】
【図１】（ａ）、（ｂ）は、本発明の一実施形態に係る局部洗浄装置の一例及びこれを備えた便器装置の一例を模式的に示し、（ａ）は、図２（ａ）におけるＸ１−Ｘ１線矢視に対応させた一部破断概略縦断面図、（ｂ）は、図２（ｂ）におけるＸ２−Ｘ２線矢視に対応させた一部破断概略縦断面図である。
【図２】（ａ）、（ｂ）は、図３におけるＹ部に対応させた一部を省略した一部破断概略斜視図である。
【図３】同便器装置を模式的に示す概略斜視図である。
【図４】同局部洗浄装置（同便器装置）において実行される基本動作の一例を模式的に示す概略タイムチャートである。
【図５】（ａ）は、本発明の他の実施形態に係る局部洗浄装置の一例及びこれを備えた便器装置の一例を模式的に示し、図１（ｂ）に対応させた一部破断概略縦断面図、（ｂ）は、本発明の更に他の実施形態に係る局部洗浄装置の一例及びこれを備えた便器装置の一例を模式的に示し、図１（ｂ）に対応させた一部破断概略縦断面図である。
【図６】同他の実施形態に係る局部洗浄装置（便器装置）において実行される基本動作の一例を模式的に示す概略タイムチャートである。
【図７】（ａ）、（ｂ）は、本発明の更に他の実施形態に係る局部洗浄装置の一例及びこれを備えた便器装置の一例を模式的に示し、図１（ａ）、（ｂ）にそれぞれ対応させた一部破断概略縦断面図である。
【図８】同局部洗浄装置（同便器装置）において実行される基本動作の一例を模式的に示す概略タイムチャートである。
【発明を実施するための形態】
【００１０】
以下に本発明の実施の形態について、図面に基づいて説明する。
なお、以下の各実施形態では、便器装置が設置された状態を基準として上下方向等の方向を説明する。
また、図４、図６及び図８の概略タイムチャートでは、各機器の動作等を模式的に示している。
【００１１】
図１〜図４は、第１実施形態に係る局部洗浄装置及びこれを備えた便器装置を模式的に示す図である。
本実施形態に係る局部洗浄装置１０は、図３に示すように、本実施形態に係る便器装置１に設けられている。この便器装置１は、床等の設置面に設置される着座式のいわゆる洋式の便器装置１とされている。
この便器装置１には、上方に向けて開口するすり鉢状とされたボウル部（便鉢）２や、便座５、便蓋６、これら便座５及び便蓋６を回転自在に支持する機構部等を覆う上ケース部７、給排水管に接続される給排水機構等が設けられている。
【００１２】
また、本実施形態では、便器装置１を、水洗タンク（ロータンク）を備えていない、いわゆるタンクレスタイプのものとした例を示している。なお、このような態様に代えて、水洗タンクを備えた構成としてもよい。
また、この便器装置１の給水機構としては、ボウル部２の上端に周方向に延びるように設けられたリム部に沿わせるように洗浄水（水道水）を供給する構成とされたものとしてもよい。また、この洗浄水の供給は、便器装置１の適所に設けられた洗浄操作部等の操作によってなされるものとしてもよい。
また、便器装置１の排水機構としては、ボウル部２の底部に設けられた排水口に接続された筒状トラップを駆動機構によって回動させて排水及び封水する構成とされたいわゆるターントラップ式のものとしてもよい。また、排水機構としては、サイホン式やサイホンゼット式、サイホンボルテックス式、ネオボルテックス式、洗い落とし式等の他の排水機構を採用するようにしてもよい。
【００１３】
また、この便器装置１に、便座５や便蓋６を開閉する開閉装置や、脱臭装置、便座５を温める加熱装置、洗浄水に洗剤を含ませる洗剤供給装置、洗浄水に殺菌成分を含ませる殺菌成分供給装置等の各種機能装置や機構部材を設けた構成としてもよい。また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
【００１４】
局部洗浄装置１０は、図１及び図２に示すように、局部に向けて洗浄水（局部洗浄水）を供給するノズル１３を備えている。
本実施形態では、この局部洗浄装置１０を、便器装置１の便器奥行方向奥側の上側部位に設けられた上ケース部７内に組み込んだ構成としている。
ノズル１３は、図１及び図２に示すように、収納位置と洗浄位置とを進退自在とされている。このノズル１３は、略円筒状とされており、その長手方向に沿って進退される構成とされている。
本実施形態では、このノズル１３を、ボウル部２の上端部内壁３の便器奥行方向奥側に設けられた開口４を介して便器奥行方向手前側となるボウル部２内の中心側に向けて突出するように進出される構成としている。この開口４は、ノズル１３の進出方向先側となるボウル部２の上端部内壁３を貫通するように設けられている。なお、図例では、ボウル部２の上端部内壁３を、上ケース部７から一連状に形成されたものとした例を示しているが、別体とされたものとしてもよい。
【００１５】
また、本実施形態では、このノズル１３を、斜め下方側に向けて進出する構成としている。
また、本実施形態では、局部洗浄装置１０に、ノズル１３を出し入れ自在にガイドするノズルケース１４を設けている。このノズルケース１４は、ノズル１３の長手方向に長手方向を沿わせた筒状とされ、便器奥行方向手前側の斜め下方側に向けて開口している。
ノズル１３は、図１（ｂ）及び図２（ｂ）に示すように、収納位置とされれば、ノズルケース１４の先端開口から露出しないように、ノズルケース１４内に収納される。図例では、収納位置とされたノズル１３の先端がノズルケース１４の先端よりもノズルケース１４内の奥側に位置するようにノズル１３をノズルケース１４に収納させた構成としている。
一方、ノズル１３は、図１（ａ）及び図２（ａ）に示すように、洗浄位置とされれば、ノズルケース１４から突出するように進出した状態となる。
ノズル１３には、図２（ａ）に示すように、このように進出した洗浄位置において、局部に向けて洗浄水を吐出（噴出）する吐出口１３ａが設けられている。この吐出口１３ａは、ノズル１３の先端部の上面側において開口するように設けられている。
【００１６】
なお、ノズル１３を、例えば、臀部用とビデ用とに対応可能な構成としてもよい。例えば、ノズル１３を、二重筒構造とし、内筒に臀部用の吐出孔とビデ用の吐出孔とを設け、これらのうちのいずれかを外筒に設けられた吐出口１３ａに選択的に一致させて洗浄水を吐出する構成とされたものとしてもよい。または、ノズル１３に、臀部用及びビデ用の２つの吐出孔を設けた態様としてもよく、その他、種々の変形が可能である。さらには、臀部用とビデ用との２つのノズル１３を設けた態様としてもよい。
また、このノズル１３を進退させる機構としては、適宜の駆動機構を採用するようにしてもよく、例えば、ノズル１３に、モーターの回転駆動を伝達するギアに噛み合うラック等を設けたものとしてもよく、その他、種々の機構の採用が可能である。また、このノズル１３の洗浄位置を、ノズル１３の進退方向に沿って多段階的に調整可能な構成とし、洗浄位置を調整する操作部を適所に設けた態様としてもよい。なお、ノズル１３は、耐久性や清浄性等の観点等から、適宜の金属系材料や硬質の合成樹脂系材料から形成されたものとしてもよく、好ましくは、ステンレス等の防錆性を有する金属系材料から形成されたものとしてもよい。
【００１７】
また、局部洗浄装置１０には、このノズル１３に洗浄水を供給する局部洗浄水供給部１２と、この局部洗浄水供給部１２の操作部としての局部洗浄操作部１１と、が設けられている（図４参照）。
局部洗浄水供給部１２には、図示は省略しているが、ノズル１３に向けて洗浄水を供給する供給管路や、この供給管路に設けられ洗浄水を供給または遮断する開閉弁、供給管路を通過する洗浄水を加熱するヒーター等が設けられている。この局部洗浄水供給部１２の供給管路は、ボウル部２に洗浄水を供給する給水機構から分岐して設けられたものとしてもよい。また、この局部洗浄水供給部１２に、洗浄水を貯留して加熱する小型タンクを設けた構成としてもよく、この場合は、適宜のポンプ等を設けた構成としてもよい。
【００１８】
局部洗浄操作部１１は、便器装置１のリモコン装置や、便座５の側方部位等に設けられたものとしてもよい。
この局部洗浄操作部１１の操作（開始（ＯＮ）操作）がなされれば、ノズル１３が洗浄位置に進出し、吐出口１３ａから洗浄水が吐出される。なお、この局部洗浄操作部１１は、局部洗浄開始（ＯＮ）操作と停止（ＯＦＦ）操作とが可能な構成とされたものとしてもよく、または、別途に停止操作部を設けたような態様としてもよい。さらには、局部洗浄操作部１１の操作（開始操作）後に、所定時間が経過すれば、局部洗浄を停止するような態様とされたものとしてもよい。
また、上記のように、ノズル１３を、臀部用とビデ用とに対応可能とした場合には、臀部用の局部洗浄操作部１１とビデ用の局部洗浄操作部１１とを設けた態様としてもよい。また、局部洗浄装置１０に、洗浄水の水勢調整や洗浄水の温度調整を可能とする機構や操作部等を設けた態様としてもよい。
【００１９】
また、本実施形態では、局部洗浄装置１０（便器装置１）に、ノズル１３の進出方向先側に設けられた開口４を開閉するノズル蓋１５を設けている。
ノズル蓋１５は、図１及び図２に示すように、閉鎖状態で、ボウル部２の上端部内壁３に沿うように配され、便器奥行方向に厚さ方向を沿わせた略板状とされている。図例では、このノズル蓋１５を、閉鎖状態で便器奥行方向手前側に向く面が、上端部内壁３における便器奥行方向手前側に向く略垂直面状とされた手前側面と略同一平面状となる構成としている。また、図例では、このノズル蓋１５を、閉鎖状態で便器奥行方向（厚さ方向）に見て略矩形状とした例を示している。
【００２０】
また、本実施形態では、このノズル蓋１５を、上端側が便器幅方向に沿う軸廻りに回転自在に支持された構成としている。このノズル蓋１５は、図１（ａ）及び図２（ａ）に示すように、ノズル１３の進出に伴い開放され、図１（ｂ）及び図２（ｂ）に示すように、ノズル１３が収納位置とされれば、閉鎖される。なお、このノズル蓋１５は、進出方向へ移動するノズル１３によって押し上げられて開放され、自重によって閉鎖される構成とされたものとしてもよく、または、モーター等を有した適宜の開閉機構によって開閉されるものとしてもよい。
【００２１】
また、局部洗浄装置１０は、図１に示すように、ノズル１３を洗浄するブラシ１７と、このブラシ１７とノズル１３とが平面視して互いに重なり合わないように位置された状態で、ブラシ１７に向けてブラシ洗浄液を供給するブラシ洗浄液供給部２０と、を備えている。本実施形態では、ブラシ洗浄液供給部２０を、ブラシ１７のみならずノズル１３に洗浄液を供給してノズル１３を洗浄するノズル洗浄液供給部２０としている。
また、本実施形態では、局部洗浄装置１０に、ブラシ１７に当接され相対的に変位してブラシ１７に付着した汚物を除去する除去片部１６を設けている。また、この除去片部１６を、ノズル蓋１５の裏面に設けている。
【００２２】
ブラシ１７は、ノズル１３に当接した状態で相対的に変位してノズル１３を擦るように洗浄する構成とされている。本実施形態では、このブラシ１７を、収納位置とされたノズル１３に平面視して重なり合わない位置となるようにノズル１３の進出方向先側に配した構成としている。また、ノズル１３の進出方向先側において移動不能に設けられたブラシ１７に対して、ノズル１３を進退方向の両方または一方に変位させてノズル１３を洗浄する構成としている。なお、このような態様に代えて、または加えて、ブラシ１７に対して、ノズル１３が周方向に回転されるものとしてもよい。
また、ブラシ１７を、ノズル蓋１５が閉鎖されて除去片部１６に当接した状態で、回転駆動される構成としている。本実施形態では、ブラシ１７を、ノズル１３の進退方向に直交する方向となる便器幅方向に沿う軸（ブラシ軸）１８廻りにモーター等のブラシ駆動部１９によって回転駆動される構成とし、ノズル１３の上面側を洗浄可能なように配した構成としている。つまり、ブラシ軸１８の下方側を進退するノズル１３をブラシ１７によって擦るように洗浄する構成としている。
【００２３】
このブラシ１７は、ブラシ軸１８からブラシ軸１８の径方向に放射状に多数のブラシ毛を全周に亘って設けた構成とされている。
また、このブラシ１７は、ノズル１３の外周面の少なくとも上面側の略四半部、好ましくは略半部の洗浄が可能な構成とされたものとしてもよい。つまり、このブラシ１７を、ノズル１３の外周面の少なくとも上面側の略四半部（または略半部）に変形を伴いブラシ毛が当接する構成としてもよい。
また、このブラシ１７の便器幅（ブラシ軸１８）方向に沿う寸法を、ノズル１３の外径以上の寸法としてもよい。また、このブラシ１７のブラシ毛の長さは、ノズル１３の外周面の少なくとも上面側の略四半部（または略半部）に当接し得るような長さとしてもよい。また、このブラシ１７のブラシ毛は、ブラシ軸１８方向の全体に亘って略同長さとされたものに限られず、ノズル１３の外周面形状に対応させてブラシ軸１８方向中央側部位の外郭形状が絞り状となるように中央側部位を短くしたような態様等としてもよい。
【００２４】
また、このブラシ１７は、ノズル洗浄液供給部２０から洗浄液を供給しながら当該ブラシ１７の洗浄がなされる際に、収納位置とされたノズル１３に洗浄液が付着しないように、収納位置とされたノズル１３から進出方向先側に離間した位置に設けられている。また、このブラシ１７の配設位置は、回転駆動させながら洗浄液によって洗浄する際に、飛散する洗浄液のノズル１３への付着を抑制する観点等から適宜の配設位置としてもよい。図例では、ノズルケース１４の先端開口からノズル１３の進出方向先側に離間させた位置にブラシ１７を配設した構成としている。
また、ブラシ１７は、ノズル蓋１５の裏面に設けられた除去片部１６に当接するように閉鎖されたノズル蓋１５の裏面に近接した位置に設けられている。
【００２５】
除去片部１６は、閉鎖状態のノズル蓋１５の裏面から便器奥行方向奥側に向けて突出するように設けられている。また、この除去片部１６は、ノズル蓋１５が閉鎖状態で、厚さ方向を上下方向に沿わせた略板状とされ、突出方向をブラシ１７の径方向に概ね沿わせた構成とされている。
この除去片部１６の突出寸法は、回転駆動されるブラシ１７のブラシ毛が変形を伴い当接するように、また、ブラシ１７に付着した汚物を除去する観点等から、適宜の寸法としてもよい。また、この除去片部１６の便器幅方向に沿う寸法は、ブラシ１７の便器幅方向に沿う寸法以上としてもよい。また、図例では、この除去片部１６を、ノズル蓋１５が閉鎖状態で、ブラシ１７のブラシ軸１８と概ね同高さに位置するように設けた例を示しているが、異なる高さ位置に設けた構成としてもよい。
【００２６】
なお、この除去片部１６に当接して回転駆動されるブラシ１７によって開放側に変位しようとするノズル蓋１５を閉鎖側に付勢したり、閉鎖状態を維持したりする機構を設けた構成としてもよい。例えば、ノズル蓋１５の軸部に、ノズル蓋１５を閉鎖側に付勢するトーションばね等の付勢部材を設けた態様としてもよい。または、ノズル蓋１５を開閉する開閉機構によってノズル蓋１５が閉鎖状態に維持されるものとしてもよい。
また、ブラシ１７は、交換等が可能なように、着脱可能に設けられたものとしてもよい。
【００２７】
ノズル洗浄液供給部２０は、上記のように位置されたブラシ１７に向けて洗浄液を供給可能なように設けられている。このノズル洗浄液供給部２０は、末端に供給口２２を設けた洗浄液供給路２１と、この洗浄液供給路２１に設けられ洗浄液を供給または遮断する洗浄液開閉弁２３と、を備えている。
本実施形態では、このノズル洗浄液供給部２０の供給口２２を、ブラシ１７の上方側において下方に向けて開口するように設けた構成としている。また、この供給口２２を、除去片部１６とブラシ１７との当接部位に向けて洗浄液を供給するように、除去片部１６とブラシ１７との当接部位の上方側に設けた構成としている。図例では、この供給口２２を、ブラシ１７のブラシ軸１８よりもノズル１３の進出方向先側の上方側に設けた例を示している。
この供給口２２は、ブラシ１７のブラシ軸１８方向の概ね全体に亘って洗浄液を供給可能な構成とされたものとしてもよい。例えば、この供給口２２を、ブラシ１７のブラシ軸１８方向に長尺なスリット状とされたものとしてもよく、ブラシ１７のブラシ軸１８方向に間隔を空けて設けられた多数の孔状とされたものとしてもよい。また、この供給口２２は、洗浄液を比較的に高圧で吐出する態様とされたものとしてもよく、噴霧する態様とされたものとしてもよい。
【００２８】
また、この供給口２２から供給されてブラシ１７及びノズル１３を洗浄した洗浄液は、ボウル部２に流下（落下）する。図例では、ノズルケース１４の下方側に設けられた底壁を、ボウル部２に向けて下るように傾斜する傾斜状とし、かつ、供給口２２の下方側部位をボウル部２に向けて開口させた構成としている。
洗浄液供給路２１は、洗浄液の供給元に接続されている。この洗浄液供給路２１は、ボウル部２に洗浄水を供給する給水機構から分岐して設けられたものとしてもよい。つまり、洗浄液の供給元を水道としてもよい。また、この洗浄液供給路２１を、ノズル１３に局部洗浄水を供給する供給管路から分岐して設けられたものとしてもよい。
【００２９】
当該局部洗浄装置１０の局部洗浄操作部１１、局部洗浄水供給部１２、ノズル１３の駆動部、ブラシ駆動部１９及び洗浄液開閉弁２３は、信号線等を介して、これらを制御する制御部に接続されている。この制御部によって後記する基本動作の実行がなされる。また、この制御部には、例えば、ＣＰＵ等の制御回路や、メモリ等によって構成され各種動作プログラム等を記憶する記憶部等が設けられている。なお、この制御部は、当該局部洗浄装置１０が備えるものとしてもよく、便器装置１が備えるものとしてもよい。
以下、本実施形態に係る局部洗浄装置１０（便器装置１）において実行される基本動作の一例を、図４を参照して説明する。
【００３０】
図４に示すように、本動作例では、局部洗浄を実行した後に、ノズル１３を洗浄するノズル洗浄及びブラシ１７を洗浄するブラシ洗浄を実行する態様としている。
つまり、局部洗浄操作部１１のＯＮ操作がなされれば、ノズル１３を洗浄位置に向けて進出させ、洗浄位置となれば、局部洗浄水供給部１２をＯＮとし、ノズル１３の吐出口１３ａから局部洗浄水を吐出させる。そして、局部洗浄操作部１１のＯＦＦ操作がなされれば、局部洗浄水供給部１２をＯＦＦ、つまり、局部洗浄水の供給を停止させ、ノズル１３を収納位置に向けて退入させる。なお、図例では、局部洗浄の際のノズル１３の退入速度よりも進出速度を速くした例を示しているが、これらを同じ速度としてもよい。
【００３１】
そして、ノズル１３が収納位置となれば、ブラシ駆動部１９をＯＮ、洗浄液開閉弁２３を開とし、ブラシ１７を回転させながらブラシ１７に向けて洗浄液を供給する。また、収納位置とされたノズル１３を進退させ、洗浄液を供給しながらブラシ１７によってノズル１３を擦るように洗浄する。図例では、これらブラシ駆動部１９のＯＮ、洗浄液開閉弁２３の開及びノズル１３の進出開始が同時になされるように示しているが、適宜の遅延時間等を設けてもよい。
また、本動作例では、ノズル１３を、複数回（図例では、２回）進退させてノズル洗浄を実行するようにしている。また、図例では、このノズル１３の進退を繰り返す際に、上記のように収納位置とされたノズル１３から離間した位置に設けられたブラシ１７にノズル１３が当接するように、ノズル１３を完全には収納位置とせずに、途中まで収納させた例を示している。また、図例では、このノズル洗浄の際のノズル１３の進出速度及び退入速度を、局部洗浄の際のノズル１３の退入速度及び進出速度よりも遅くした例を示している。なお、このような態様に代えて、ノズル洗浄の際のノズル１３の進出速度及び退入速度の両方または一方を、局部洗浄の際のノズル１３の退入速度及び進出速度の両方または一方と同じ速度等としたりしてもよい。
【００３２】
また、このノズル洗浄は、ノズル１３の清浄性を維持する観点等から所定の時間が経過するまで実行するようにしてもよい。
また、このノズル洗浄の際には、ブラシ１７を、同一方向に常時、回転させる態様としてもよく、または、ノズル１３の進退方向に抗する方向に反転させて回転させる態様としてもよい。つまり、ノズル１３を進出させる際には、ブラシ１７を、ノズル１３の進出方向に抗する方向となる図示反時計廻りに回転させ、ノズル１３を退入させる際には、ブラシ１７を、ノズル１３の退入方向に抗する方向となる図示時計廻りに回転させるような態様等としてもよい。
また、図例のように、ノズル洗浄の際に、ノズル１３を複数回進退させる態様に限られず、ノズル１３を１回のみ進退させる態様としてもよい。
また、図例では、局部洗浄が実行された後に、所定の遅延時間が経過すれば、ノズル洗浄を開始させるような態様とした例を示しているが、このような態様に限られない。例えば、局部洗浄の際に洗浄位置とされたノズル１３を収納位置に向けて退入させる際に、ブラシ駆動部１９をＯＮ、洗浄液開閉弁２３を開とし、ブラシ１７を回転させながらブラシ１７に向けて洗浄液を供給し、ノズル洗浄する態様としてもよい。
【００３３】
上記のように、ノズル１３を進退させてノズル洗浄を実行した後、ノズル１３が収納位置になれば、ブラシ洗浄に移行する。
つまり、ノズル１３が、洗浄液が掛かり難い収納位置とされれば、供給口２２からの洗浄液によってブラシ１７の洗浄がなされる。この際、本動作例では、ブラシ１７を当接片部１６に当接させて回転させながらブラシ洗浄を実行する態様としている。なお、このブラシ洗浄の際には、ブラシ１７を、同一方向に常時、回転させる態様としてもよく、または、所定時間が経過する毎に反転させる態様等としてもよい。また、このブラシ洗浄は、ブラシ１７の清浄性を維持する観点等から所定の時間が経過するまで実行するようにしてもよい。図例では、ノズル洗浄よりもブラシ洗浄を短くした例を示しているが、これらを同じ時間等としてもよい。
そして、ブラシ駆動部１９をＯＦＦ、洗浄液開閉弁２３を閉とし、ブラシ１７を停止させ、洗浄液の供給を停止する。
【００３４】
なお、上記基本動作は、一例に過ぎず、種々の変形が可能である。例えば、局部洗浄を実行する前に、ノズル洗浄を実行させる態様としてもよい。つまり、局部洗浄の実行前後にノズル洗浄を実行させる態様としてもよい。また、ノズル洗浄の前に、ブラシ洗浄を実行させる態様としてもよい。つまり、ノズル洗浄の前後にブラシ洗浄を実行させる態様等としてもよい。
また、局部洗浄の実行有無に関わらず、ブラシ洗浄を含めたノズル洗浄を実行させる態様としてもよく、例えば、便器装置１に、ノズル洗浄実行のためのノズル洗浄操作部等を設けた態様としてもよい。その他、種々の変形動作の実行が可能である。
【００３５】
本実施形態に係る局部洗浄装置１０及びこれを備えた便器装置１は、上述のような構成としたことで、ノズル１３の清浄性を向上させることができる。
つまり、局部に向けて洗浄水を供給するノズル１３と、このノズル１３を洗浄するブラシ１７と、を備えた構成としている。従って、例えば、洗浄水のみによってノズル１３を洗浄するようなものと比べて、ノズル１３に付着した水流では落ち難い汚れをブラシ１７によって擦り取るようにして除去することができる。
また、このブラシ１７とノズル１３とが平面視して互いに重なり合わないように位置された状態で、ブラシ１７に向けて洗浄液を供給するブラシ洗浄液供給部（ノズル洗浄液供給部）２０を備えた構成としている。従って、洗浄液によってブラシ１７を洗浄することができ、また、このブラシ１７を洗浄した洗浄液がノズル１３に付着するようなことを抑制することができ、ノズル１３への汚れの再付着を抑制することができる。
【００３６】
また、本実施形態では、収納位置と洗浄位置とを進退自在とされたノズル１３に収納位置において平面視して重なり合わない位置となるように、ブラシ１７をノズル１３の進出方向先側に配した構成としている。従って、ノズル１３を進出させることでブラシ１７によってノズル１３を洗浄することができ、また、ノズル１３を収納位置としてブラシ１７を洗浄液によって洗浄することができる。これにより、例えば、ブラシ１７を洗浄液によって洗浄する際に、ノズル１３と平面視して重なり合わない位置となるようにブラシ１７を移動させるようなものと比べて、構造の簡略化が図れ、また、ノズル１３及びブラシ１７の洗浄を効率的に実行することができる。
【００３７】
また、本実施形態では、洗浄液を供給しながらブラシ１７によってノズル１３を洗浄可能としている。従って、ノズル１３をより効果的に洗浄することができる。
また、本実施形態では、ブラシ１７に当接され相対的に変位してブラシ１７に付着した汚物を除去する除去片部１６を備えた構成としている。従って、除去片部１６によってブラシ１７に付着した汚物を擦り落とすようにして除去することができ、ブラシ１７の清浄性を向上させることができる。
【００３８】
また、本実施形態では、この除去片部１６を、収納位置と洗浄位置とを進退自在とされたノズル１３の進出方向先側に設けられた開口４を開閉するノズル蓋１５の裏面に設けている。従って、ノズル蓋１５を開放させれば、除去片部１６を清掃することができ、例えば、ケース内等に除去片部１６を設けたようなものと比べて、除去片部１６の清掃性を向上させることができる。
また、ブラシ１７を、ノズル蓋１５が閉鎖されて除去片部１６に当接した状態で、回転駆動される構成としている。従って、ブラシ１７が回転しながら除去片部１６に当接することでブラシ１７に付着した汚物をより効果的に除去することができる。また、上述のように、ノズル１３を洗浄する際にもブラシ１７を回転させることができ、ノズル１３に付着した汚物をより効果的にブラシ１７によって除去することができる。
【００３９】
次に、本発明に係る他の実施形態について、図面を参照しながら説明する。
図５（ａ）は、第２実施形態に係る局部洗浄装置及びこれを備えた便器装置の一例を模式的に示す図である。
なお、上記第１実施形態との相違点について主に説明し、同様の構成については、同一の符号を付し、その説明を省略または簡略に説明する。また、基本動作の一例についても、上記第１実施形態との相違点について主に説明し、同様の動作については、説明を省略または簡略に説明する。
【００４０】
本実施形態に係る便器装置１Ａは、図５（ａ）に示すように、局部洗浄装置１０Ａに設けられたブラシ（ノズル）洗浄液供給部２０Ａの構成が上記第１実施形態とは主に異なる。
本実施形態では、ノズル洗浄液供給部２０Ａを、洗浄液を加熱するヒーター２８を備えた構成としている。
図例では、このヒーター２８を、洗浄液供給路２１Ａにおける洗浄液開閉弁２３よりも下流側となる供給口２２側に設けた例を示している。
このヒーター２８は、ブラシ１７（及びノズル１３）に付着した汚物を除去する観点や殺菌性の観点等から、適宜の温度となるように洗浄液を加熱するものとしてもよく、例えば、洗浄液を、６０℃〜１００℃程度に加熱するものとしてもよい。
また、このヒーター２８を、例えば、局部洗浄水や便座５を加熱する加熱装置と共通のものとしてもよい。また、このヒーター２８は、上記第１実施形態と同様、制御部に信号線等を介して接続され、制御部によって制御される。
【００４１】
本実施形態においても、上記第１実施形態と概ね同様、図６に示すような基本動作の一例の実行が可能である。
図例では、ノズル洗浄及びブラシ洗浄の際に、ヒーター２８をＯＮとし、ノズル１３及びブラシ１７に向けて供給する洗浄液をヒーター２８によって加熱された温水（熱水）とした例を示している。なお、図例では、このヒーター２８のＯＮを含めて、ブラシ駆動部１９のＯＮ、洗浄液開閉弁２３の開及びノズル１３の進出開始が同時になされるように示しているが、適宜の遅延時間等を設けてもよい。
本実施形態に係る局部洗浄装置１０Ａ及びこれを備えた便器装置１Ａにおいても、上記した第１実施形態と概ね同様の効果を奏する。
また、本実施形態では、ブラシ（ノズル）洗浄液供給部２０Ａを、洗浄液を加熱するヒーター２８を備えた構成としている。従って、洗浄液を常温の水道水としたものと比べて、ブラシ１７（及びノズル１３）を効果的に洗浄することができ、ブラシ１７（及びノズル１３）の清浄性をより向上させることができる。
【００４２】
次に、本発明に係る更に他の実施形態について、図面を参照しながら説明する。
図５（ｂ）は、第３実施形態に係る局部洗浄装置及びこれを備えた便器装置の一例を模式的に示す図である。
なお、上記第１実施形態との相違点について主に説明し、同様の構成については、同一の符号を付し、その説明を省略または簡略に説明する。また、基本動作の一例についても、上記第１実施形態との相違点について主に説明し、同様の動作については、説明を省略または簡略に説明する。
【００４３】
本実施形態に係る便器装置１Ｂは、図５（ｂ）に示すように、局部洗浄装置１０Ｂに設けられたブラシ（ノズル）洗浄液供給部２０Ｂの構成が上記各実施形態とは主に異なる。
本実施形態では、ノズル洗浄液供給部２０Ｂを、洗浄液に殺菌成分を含ませる殺菌成分供給部２９を備えた構成としている。
図例では、殺菌成分供給部２９を、洗浄液供給路２１Ｂにおける洗浄液開閉弁２３よりも上流側に設けた例を示している。
この殺菌成分供給部２９としては、例えば、給水元に接続され、水道水を電気分解して殺菌液としての次亜塩素酸水を生成する殺菌液生成部を構成する電解槽を備えたものとしてもよい。つまり、この殺菌成分供給部２９において洗浄液としての殺菌成分を含んだ殺菌液を生成する態様としてもよい。また、この殺菌成分供給部２９において生成される殺菌液としては、次亜塩素酸水に限られず、オゾン水や強酸性水、次亜塩素酸ナトリウム溶液、過酸化水素水等としてもよい。または、このように殺菌成分供給部２９において殺菌液を生成せずに、殺菌液を貯留するタンク等を殺菌成分供給部２９に設けた態様としてもよい。
また、この殺菌成分供給部２９を、例えば、ボウル部２に向けて殺菌成分を供給する殺菌成分供給装置と共通のものとしてもよい。また、この殺菌成分供給部２９は、上記第１実施形態と同様、制御部に信号線等を介して接続され、制御部によって制御される。
【００４４】
本実施形態においても、上記各実施形態と概ね同様、図６に括弧内において示すように基本動作の一例の実行が可能である。
図例では、ノズル洗浄及びブラシ洗浄の際に、殺菌成分供給部２９をＯＮとし、ノズル１３及びブラシ１７に向けて殺菌成分を含んだ洗浄液（殺菌液）を供給する態様としている。
本実施形態に係る局部洗浄装置１０Ｂ及びこれを備えた便器装置１Ｂにおいても、上記した第１実施形態と概ね同様の効果を奏する。
また、本実施形態では、ブラシ（ノズル）洗浄液供給部２０Ｂを、洗浄液に殺菌成分を含ませる殺菌成分供給部２９を備えた構成としている。従って、洗浄液を水道水としたものと比べて、ブラシ１７（及びノズル１３）を効果的に洗浄することができ、ブラシ１７（及びノズル１３）の清浄性をより向上させることができる。
【００４５】
なお、上記各実施形態では、除去片部１６を、ノズル蓋１５の裏面に設けた例を示しているが、このような態様に限られない。例えば、除去片部１６を、ノズル１３やノズルケース１４を収納する局部洗浄装置１０，１０Ａ，１０Ｂのケース内や便器装置１，１Ａ，１Ｂの機構部等に設けるようにしてもよい。また、上記各実施形態では、除去片部１６に対して、ブラシ１７を変位させる態様としているが、このような態様に代えて、または加えて、除去片部１６を変位させる態様としてもよい。さらには、このような除去片部１６を設けないようにしてもよい。
【００４６】
次に、本発明に係る更に他の実施形態について、図面を参照しながら説明する。
図７及び図８は、第４実施形態に係る便器装置の一例を模式的に示す図である。
なお、上記第１実施形態との相違点について主に説明し、同様の構成については、同一の符号を付し、その説明を省略または簡略に説明する。また、基本動作の一例についても、上記第１実施形態との相違点について主に説明し、同様の動作については、説明を省略または簡略に説明する。
【００４７】
本実施形態に係る便器装置１Ｃは、図７に示すように、局部洗浄装置１０Ｃに設けられたブラシ（ノズル）洗浄液供給部２０Ｃの構成が上記各実施形態とは主に異なる。また、本実施形態では、ノズル蓋１５Ａに、除去片部を設けていない態様としている。
本実施形態では、ノズル洗浄液供給部２０Ｃを、洗浄液に洗剤を含ませる洗剤供給部３０を備えた構成としている。
また、本実施形態では、ノズル洗浄液供給部２０Ｃを、ブラシ１７に向けて洗浄液を供給する洗浄液供給路２１Ｃから分岐させて、ブラシ１７よりもノズル１３の進退方向退入側の部位に向けて洗浄液を供給する分岐管路２４を設けた構成としている。この分岐管路２４の末端には、ノズルケース１４内において開口するようにノズル供給口２５が設けられている。図例では、収納位置とされたノズル１３の先端部に向けて洗浄液を供給可能なようにノズル供給口２５を設けた例を示している。このような構成とすれば、ノズルケース１４内の開口側部位も洗浄液によって洗浄することができ、ノズル１３の清浄性をより向上させることができる。
【００４８】
また、この分岐管路２４との分岐部よりも下流側の洗浄液供給路２１Ｃの末端には、上記と概ね同様のブラシ供給口２２Ａが設けられている。図例では、このブラシ供給口２２Ａを、ブラシ１７のブラシ軸１８の略直上に位置するように設けた例を示しているが、ブラシ軸１８よりもノズル１３の進出方向先側の上方側や奥側の上方側に位置するように設けるようにしてもよい。
また、洗浄液供給路２１Ｃには、供給元からの洗浄液を、ブラシ供給口２２Ａ側に供給するブラシ側状態とノズル供給口２５側に供給するノズル側状態とに切り替えられる洗浄液切替弁２３Ａが設けられている。図例では、この洗浄液切替弁２３Ａを、３つの接続口を有した三方切替弁としている。
【００４９】
また、上記した分岐管路２４との分岐部よりも上流側の洗浄液供給路２１Ｃに、洗剤供給部３０からの洗剤を供給する洗剤供給路２６を接続した構成としている。また、図例では、この洗剤供給路２６に、洗剤を供給または遮断する洗剤開閉弁２７を設けた例を示している。この洗剤開閉弁２７及び洗浄液切替弁２３Ａは、上記第１実施形態と同様、制御部に信号線等を介して接続され、制御部によって制御される。
洗剤供給部３０には、洗剤を貯留する洗剤タンク等が設けられており、この洗剤タンクに局部洗浄装置１０Ｃ（便器装置１Ｃ）の外部から洗剤の補給が可能な構成としてもよい。
また、この洗剤供給部３０に貯留される洗剤は、ブラシ１７（及びノズル１３）の清浄性を向上させる観点等から、適宜の洗剤としてもよく、例えば、液状の中性洗剤等としてもよい。また、例えば、この洗剤供給部３０を、ボウル部２に向けて洗剤を供給する洗剤供給装置と共通のものとしてもよい。
【００５０】
本実施形態においても、上記各実施形態と概ね同様、図８に示すような基本動作の一例の実行が可能である。
本動作例では、ノズル洗浄の際には、洗浄液切替弁２３Ａを、ノズル側状態に切り替え、ノズル供給口２５からノズル１３に向けて洗浄液を供給する態様としている（図７（ａ）も参照）。この際、上記同様にノズル１３を進退させるようにしてもよく、または、進退させる際に、ノズル１３を完全に収納位置となるまで退入させるようにしてもよい。
また、ブラシ洗浄の際には、洗浄液切替弁２３Ａを、ブラシ側状態に切り替え、ブラシ供給口２２Ａからブラシ１７に向けて洗浄液を供給する態様としている（図７（ｂ）も参照）。
また、ノズル洗浄及びブラシ洗浄の際に、洗剤開閉弁２７を開とし、ノズル１３及びブラシ１７に向けて供給される洗浄液に洗剤を含ませる態様としている。なお、このような洗剤開閉弁２７を設けずに、洗浄液供給路２１Ｃにベンチュリー管状の絞り部を設けて負圧作用によって洗剤を供給する構成としてもよい。
【００５１】
なお、上記した動作例では、ノズル洗浄の際に、ノズル供給口２５のみから洗浄液を供給する態様とした例を示しているが、ノズル洗浄の際に、ブラシ供給口２２Ａからも洗浄液を供給する態様としてもよい。この場合は、洗浄液供給路２１Ｃや洗浄液切替弁２３Ａを、適宜、変形するようにすればよい。
本実施形態に係る局部洗浄装置１０Ｃ及びこれを備えた便器装置１Ｃにおいても、上記した第１実施形態と概ね同様の効果を奏する。
また、本実施形態では、ブラシ（ノズル）洗浄液供給部２０Ｃを、洗浄液に洗剤を含ませる洗剤供給部３０を備えた構成としている。従って、洗浄液を水道水としたものと比べて、ブラシ１７（及びノズル１３）を効果的に洗浄することができ、ブラシ１７（及びノズル１３）の清浄性をより向上させることができる。
【００５２】
なお、上記した各実施形態において説明した互いに異なる構成や動作を、適宜、組み合わせたり、組み替えたりして適用するようにしてもよい。例えば、第２実施形態において説明したヒーター２８、第３実施形態において説明した殺菌成分供給部２９及び第４実施形態において説明した洗剤供給部３０のうちの少なくとも一つを、第１実施形態に係る局部洗浄装置１０（便器装置１）に設けた態様としてもよい。また、上記第４実施形態に係る局部洗浄装置１０Ｃ（便器装置１Ｃ）に、上記第１実施形態において説明した除去片部１６を設けた態様等としてもよい。各実施形態において説明した互いに異なる構成や動作の組み合わせや組み替えとしては、その他、種々の組み合わせや組み替えが可能である。
【００５３】
また、上記各実施形態では、ブラシ１７を、ノズル１３の進退方向に直交する軸１８廻りに回転駆動される構成としているが、このような態様に限られない。例えば、ブラシ１７を、ノズル１３の進退方向に沿う方向や直交する方向に往復動されるものとしてもよい。また、上記各実施形態では、ノズル１３の上面側を洗浄する単一のブラシ１７を設けた構成としているが、例えば、ノズル１３の周方向や進退方向に複数のブラシ１７を設けた態様等としてもよい。
また、上記各実施形態では、収納位置とされたノズル１３に平面視して重なり合わない位置となるように、ブラシ１７をノズル１３の進出方向先側に配した構成としているが、このような態様に限られない。例えば、ブラシ洗浄の際に、ブラシ１７を、ノズル１３から離間させるように移動させる機構を設けた態様等としてもよい。
【００５４】
また、上記各実施形態では、ノズル洗浄液供給部２０，２０Ａ，２０Ｂ，２０Ｃを、ブラシ１７及びノズル１３に洗浄液を供給する構成とした例を示しているが、このような態様に限られない。ブラシ１７に向けて洗浄液を供給するブラシ洗浄液供給部２０，２０Ａ，２０Ｂ，２０Ｃとは別に、ノズル１３に洗浄液を供給するノズル洗浄液供給部を設けた態様としてもよい。この場合は、ブラシ１７に向けて供給するブラシ洗浄液とノズル１３に向けて供給するノズル洗浄液とを別の洗浄液としてもよい。
また、上記各実施形態では、局部洗浄装置１０，１０Ａ，１０Ｂ，１０Ｃを、便器装置１，１Ａ，１Ｂ，１Ｃに組み込んだ例を示しているが、このような態様に限られない。例えば、局部洗浄装置１０，１０Ａ，１０Ｂ，１０Ｃを、後付的に既設の便器に設置されるものとしてもよい。この場合は、局部洗浄装置１０，１０Ａ，１０Ｂ，１０Ｃを、暖房便座や便蓋を備えたいわゆる温水洗浄便座としてもよい。
【符号の説明】
【００５５】
１，１Ａ，１Ｂ，１Ｃ          便器装置
４                            開口
１０，１０Ａ，１０Ｂ，１０Ｃ  局部洗浄装置
１３                          ノズル
１５，１５Ａ                  ノズル蓋
１６                          除去片部
１７                          ブラシ
２０，２０Ａ，２０Ｂ，２０Ｃ  ノズル洗浄液供給部（ブラシ洗浄液供給部）
２８                          ヒーター
２９                          殺菌成分供給部
３０                          洗剤供給部
【図１】
2016156185.tif 000003
【図２】
2016156185.tif 000004
【図３】
2016156185.tif 000005
【図４】
2016156185.tif 000006
【図５】
2016156185.tif 000007
【図６】
2016156185.tif 000008
【図７】
2016156185.tif 000009
【図８】
2016156185.tif 000010